(57)【要約】      （修正有）【課題】乗降板を取り外しての保守点検や修理の全体作業が短縮できる乗客コンベアを提供する。【解決手段】乗降口下方に配設される機械室の上部開口部を開閉するための乗降板を有する乗客コンベアであって、該乗降板は、乗降口の幅方向に分割された乗降板片１０ａよりなり、各乗降板片１０ａは、その裏面に防滴カバーが取り付けられてなり、防滴カバーは、幅方向中央線を頂点とし、幅方向左右に下向きに傾斜する液体受け板１７ａ，１７ｂを有し、その両下端部の下方に傾斜樋を設けることによって、乗降板から侵入した雨水が機械室内のオイルパンまで流出するための流出経路が形成される。【選択図】図３
2012188268.tif 000002
【特許請求の範囲】
【請求項１】
乗降口下方に配設される機械室の上部開口部を開閉するための乗降板を有する乗客コンベアであって、
該乗降板は、乗降口の幅方向に分割された乗降板片よりなり、
各乗降板片は、その裏面に防滴カバーが取り付けられてなる
ことを特徴とする乗客コンベア。
【請求項２】
防滴カバーは、幅方向中央線を頂点とし、幅方向左右に下向きに傾斜し、その両下端部又は両下端部の下方に傾斜樋が設けられ、該傾斜樋が機械室内のオイルパンに流出する流出経路が形成されていることを特徴とする請求項１に記載の乗客コンベア。
【発明の詳細な説明】
【技術分野】
【０００１】
本発明の実施形態は、乗客コンベアに関する。
【背景技術】
【０００２】
一般にエスカレータなどの乗客コンベアにおいて、複数の踏段を移送するチェーンベルト下部が位置し、また該チェーンベルトと噛み合うチェーンホイールなどが収納されている下部機械室には、乗降板から漏出する水滴などの液体が機械室に落下しないように、乗降板の下方に防滴カバーが別途取り付けられている。特に下部の乗降口が屋外に露出している乗客コンベアにおいては雨水が下部乗降口に振りかかることがあるため、前記の防滴カバーを設ける必要性は高い。
【０００３】
ところで、乗客コンベアを保守点検や修理するためには、前記の乗降板を機械室の開口部から着脱する必要があり、乗降板を取り外す際には、顧客専有の共用部の床面に養生シートを敷き、養生シートの上に取り外した乗降板を積み重ね、続けて防滴カバーの取り外し作業を行い、取り外した防滴カバーを前記の積み重ねた乗降板の上にさらに積み重ねていた。しかも、狭い通路に設置されている乗客コンベアにおいては、第三者の安全を確実に確保するため、かなり離れた広いスペースの共用部まで乗降板や防滴カバーを運んでいた。さらに、乗客コンベアの保守点検又は修理作業が終わると、防滴カバーを運んできて下部機械室に設置し、続いて乗降板を運んできて下部機械室の開口部に設置して蓋をすることにより保守点検又は修理の全体作業が完了したことになる。
【発明の概要】
【発明が解決しようとする課題】
【０００４】
乗客コンベアを保守点検や修理する際に、本来の保守点検又は修理作業だけでなく、上記のような手数と時間のかかる乗降板及び防滴カバーの取り外し作業や運搬載置作業を行っていたため、その分だけ保守点検又は修理の全体作業にかなりの時間を要する結果となっていた。また、顧客側からの要請により、保守点検や修理に要する時間が制限されることが多く、十分な作業時間が確保できないこともある。
【０００５】
そこで、保守点検作業及び故障対応時の時間短縮を目的とし、保守作業者の目線に着目し検討を行った。検討の結果、緊急故障対応（クライシスリスク）や保守作業、特に百貨店等の開店前点検の確認において大変な手間と時間を要していたことが確認でき、保守点検の作業し易さにも考慮し、顧客満足へ繋がる改善策を考える必要があることに到達した。
【０００６】
本発明の実施態様は、乗降板を取り外しての保守点検や修理の全体作業が短縮でき、保守点検時間が規制されている顧客要求の作業時間内容において、乗客コンベアの乗降板に防滴カバーを一体化させることにより着脱時間の短縮を図り、安全機構を保つことを可能にした乗客コンベアを提供することを目的とする。
【課題を解決するための手段】
【０００７】
本発明の実施態様に係る乗客コンベアは、乗降口下方に配設される機械室の上部開口部を開閉するための乗降板を有する乗客コンベアであって、該乗降板は、乗降口の幅方向に分割された乗降板片よりなり、各乗降板片は、その裏面に防滴カバーが取り付けられてなることを特徴とする。
【図面の簡単な説明】
【０００８】
【図１】本発明の実施態様に係る乗客コンベアにおいて、乗降板が閉塞されている通常の状態の乗客コンベアの一部概略斜視図である。
【図２】本発明の実施態様に係る乗客コンベアにおける乗降板の概略斜視図である。
【図３】図２の一部切欠斜視図である。
【図４】本発明の実施態様に係る乗客コンベアにおける乗降板を機械室開口部に設置した状態を示す概略端面図である。
【発明を実施するための形態】
【０００９】
以下、本発明の実施例に係る乗客コンベアについて、図面を参照して説明する。
【実施例１】
【００１０】
図１においてＡはエスカレータを示し、エスカレータＡには、その下階側乗降口の下方に機械室が設けられている。そして、該機械室には、機械室上部の開口部の蓋の役目を果たす乗降板１０が配設されている。該乗降板１０は、乗降口の幅方向に３つに分割された乗降板片１０ａ，１０ｂ，１０ｃとから構成される。また、これら乗降板片１０ａ，１０ｂ，１０ｃは、機械室への出入口として使用するため、ねじ等を着脱することにより乗降板片１０ａ，１０ｂ，１０ｃが個々に取り外し可能となっている。
【００１１】
図２は、乗降板片１０ａを表し、乗降板片１０ａは、天板部１１と防滴カバ−１２とからなる。また、乗降板片１０ｂ，１０ｃも同様の構成である。天板部１１の表面にはエッチングにより凹部と凸部とが形成されている。
【００１２】
天板部１１には乗降板上の雨水などの液体を通過させるための透水孔１１ａが形成されている。防滴カバー１２は、図２及び図３に示すように、天板部１１との境界となる境界板１３、前後の側壁板１４ａ，１４ｂ、左右のＣ型鋼からなる側壁体１５ａ，１５ｂ、及び、底面を構成する底板１６とで囲まれたフレームを有し、その内部に前後に２箇所の液体受け板１７ａ，１７ｂと仕切り板１８ａ，１８ｂとが配されている。前記境界板１３は、天板部１１の透水孔１１ａと連通するように透水孔１３ａが形成されており、その直下に液体受け板１７ａ，１７ｂが位置するように構成されている。さらに、液体受け板１７ａ，１７ｂは、その上面が、幅方向中央線を頂点とし、幅方向左右に下向きに傾斜した傾斜面から構成され、その左右の下端部に排出口１９ａ，１９ｂが形成されている。さらにまた、底板１６には、液体受け板１７ａ，１７ｂの排出口１９ａ，１９ｂと連通するように排出口１６ａが形成されている。したがって、天板部１１の透水孔１１ａから浸入した液体Ｗが、境界板１３の透水孔１３ａを通過して液体受け板１７ａ，１７ｂに落下し、傾斜面を伝って液体受け板１７ａ，１７ｂの排出口１９ａ，１９ｂ及び底板１６の排出口１６ａを通過して下方に落下することになる。
【００１３】
防滴カバー１２には、その左右両端下方の位置であって、排出口１９ａ，１９ｂの直下位置に傾斜樋２０ａ，２０ｂが取り付けられており、該傾斜樋２０ａ，２０ｂは、その底面が一方向に連続する傾斜面になっており、不図示の機械室内のオイルパンに流出する流出経路が形成されるようになっている。したがって、排出口１９ａ，１９ｂから落下した液体Ｗは、樋２０ａ，２０ｂを通過して不図示のオイルパンに流出することになる。
【００１４】
なお、防滴カバーは、その液体受け板に排出口を設けず、また底板にも排出口を設けない構成として、液体受け板の左右両端部に傾斜樋を直接設け、該傾斜樋を、各乗降板片を連通するように、その底面が一方向に連続する傾斜面となるように構成してもよい。
【００１５】
以上のように、乗客コンベアＡの乗降口に敷設する乗降板１０について、天板部１１と防滴カバー１２とを一体構造としたので、乗降板１０の着脱作業時間を短縮でき、保守点検や修理の全体作業時間を短縮することができる。したがって、保守点検時における時間指定の顧客の要望に応ずることが可能となる。また、乗降板１０について天板部１１と防滴カバー１２とを一体構造とすることにより、乗降板１０の隙間から浸入する雨水が、乗降１０の天板部１１の表面から傾斜樋２０ａ，２０ｂまでスムーズに流出する経路を確保することができる。
【００１６】
本実施例に係る乗客コンベアＡは、従来のような乗降板と別体になっている二重構造の防滴カバーをなくし、防滴カバー１２と天板部１１との一体化した乗降板１０とすることにより一重構造へ変更でき、これによって、従来のような防滴カバーの着脱に要する作業時間が削減できる。また、防滴カバー１２を天板部１１と一体化した乗降板１０とすることによりから傾斜樋２０ａ，２０ｂに雨水等の液体を直接流す方式を採用することによって、従来の乗降板とは別個に設けられていた防滴カバーから雨樋に雨水を流す方式から向上を図ることができる。
【００１７】
なお、本実施例はエスカレータについて説明したが、動く歩道における踏段に対しても適用できるものである。また、実施の形態は例示であり、発明の範囲は実施の形態に限られるものではない。
【００１８】
以上のように本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００１９】
Ａ・・・・乗客コンベア
Ｗ・・・・雨水などの液体
１０・・・乗降板
１０ａ，１０ｂ，１０ｃ・・乗降板片
１１・・・天板部
１１ａ・・天板部の透水孔
１２・・・防滴カバー
１３・・・境界板
１３ａ・・境界板の透水孔
１４ａ，１４ｂ・・前後の側壁板
１５ａ，１５ｂ・・左右の側壁体
１６・・・底板
１６ａ・・底板の排出口
１７ａ，１７ｂ・・液体受け板
１８ａ，１８ｂ・・仕切り板
１９ａ，１９ｂ・・液体受け板の排出口
２０ａ，２０ｂ・・傾斜樋
【図１】
2012188268.tif 000003
【図２】
2012188268.tif 000004
【図３】
2012188268.tif 000005
【図４】
2012188268.tif 000006